(57)【要約】 【目的】奥まった施工個所に吊戸棚を施工する場合、施工個所に合せて各部材を製作すると材料費、加工費、取付費が多大に要する。出来合の吊戸棚を取り付けるとしても取付部材をその場で作らねばならず、容積（幅）が小さくなるのを解決する。【構成】  左側壁１０４、右側壁１０５、奥壁１０６、に沿って架台１を取り付ける。架台１は左右に分かれており幅が伸縮自在である。吊戸棚本体４は左右に分かれており伸縮自在である。伸縮扉８は両開き扉９，１１が夫々扉本体９ａ，１１ａに可変扉部９ｂ，１１ｂが幅を伸縮可能に嵌合している。各壁１０４，１０５，１０６に架台１を拡幅してピタリと壁につけて取り付け、架台１に拡幅した伸縮吊戸棚本体４を取り付け、伸縮吊戸棚本体４に幅が合うように左扉９、右扉１１の幅を調節する。設置場所の入口が狭くても、縮幅して持ち込め、容積を大きくできる。既製品として工場生産出来、コスト安で施工も早く取付費も安価となる。【選択図】  図１１
2009195587.tif 000002
【特許請求の範囲】
【請求項１】
対向する壁面間に施工する吊戸棚において、
対向する壁面の一方の左側壁面に接して該壁面に取り付けられ下縁に左側壁面から離れる方向に架台ツバを有す左側板部と、対向する壁面間の奥壁に接し又は接近して下縁に奥壁面から離れる方向の架台ツバを有する左背板部とを有する左架台と、
対向する壁面の他方の右側壁面に接して該壁面に取り付けられ下縁に右側壁面から離れる方向に架台ツバを有する右側板部と、対向する壁面間の奥壁に接し又は接近して下縁に右側壁面から離れる方向に架台ツバを有し左背板部に対して奥壁面に平行に水平方向に移動可能に係合する右背板部とを有する右架台と、
を有する伸縮架台と、
前面に開口を有し箱形で互に係合して左右方向に相対移動する左戸棚本体と右戸棚本体を備えて左右方向に幅を調節可能で伸縮架台の各架台の架台ツバに載置される伸縮吊戸棚本体と、
夫々の扉の幅が伸縮可能な両開き扉であって伸縮吊戸棚本体の開口の両側に枢着された伸縮扉と、
を有することを特徴とする伸縮壁ピタ吊戸棚。
【請求項２】
伸縮架台の左側板部と右側板部は夫々左側壁面と右側壁面に接する架台取付板部と、伸縮吊戸棚本体の左側板と右側板に夫々接する戸棚本体取付板部を有し、架台取付板部と戸棚本体取付板部とは板面が側壁面に直角な方向に離れていることを特徴とする請求項１に記載の伸縮壁ピタ吊戸棚。
【請求項３】
戸棚本体取付板部は架台取付板部の上下に位置し、架台取付板部の上部のみが側壁に固定されることを特徴とする請求項２に記載の伸縮壁ピタ吊戸棚。
【請求項４】
架台は左側板部と右側板部は高さが伸縮吊戸棚本体の高さよりもやや高く、左背板部及び右背板部は高さが左側板部及び右側板部よりも低く、左右の背板部は互に重なって左側板部と右側板部間の対向間隔を調節可能に互に摺動する案内部を有することを特徴とする請求項１から３の何れか１つに記載の伸縮壁ピタ吊戸棚。
【請求項５】
左架台の左背板部と右架台の右背板部の重なる部分にはこれら左右の背板部を夫々貫通する左右方向に長い重なる長穴を有し、
長穴を挿通して奥壁にねじ部材をねじ込むことを特徴とする請求項１から４の何れか１つに記載の伸縮壁ピタ吊戸棚。
【請求項６】
前記ねじ部材は１つであって伸縮架台の左右方向のほぼ中央に位置することを特徴とする請求項５に記載の伸縮壁ピタ吊戸棚。  
【請求項７】
左戸棚本体と右戸棚本体は夫々の天板、背板、底板に重なりを有し、左戸棚本体と右戸棚本体の何れか一方の縁を他方の天板、背板、底板の内面側に配すると共に、左戸棚本体と右戸棚本体の両側板を平行にした状態で前記他方の天板、背板、底板の内側面に前記一方の縁と重ねられる多数の平行線を目視可能に設けられていることを特徴とする請求項１から６の何れか１つに記載の伸縮壁ピタ吊戸棚。
【請求項８】
伸縮扉の左扉及び右扉は、伸縮吊戸棚本体に枢着される夫々の扉本体と、夫々の扉本体の戸先側に扉幅を可変とするように移動可能に係合する夫々の可変扉部を有し、夫々の扉本体と可変扉部とを締結する固定手段を設けたこと
を特徴とする請求項１から７の何れか１つに記載の伸縮壁ピタ吊戸棚。
【請求項９】
扉本体と可変扉部との係合部の目視可能な竪方向の縁とこの縁を有する板面が重ねられる扉本体又は可変扉部の他方の面には前記縁と重ねられる多数の平行線が目視可能に設けられていることを特徴とする請求項８に記載の伸縮壁ピタ吊戸棚。
【請求項１０】
請求項１に記載の伸縮壁ピタ吊戸棚を構成する部材を用いて、対向する側壁と側壁及び奥壁に沿って吊戸棚を設置する方法であって、
（１）架台の左背板部と右背板部の係合部分を移動して左側板部と右側板部を近寄らせて架台の幅をせばめる工程と、
（２）設置場所に至る開口部を通じて設置場所へ幅をせばめた架台を持ち込む工程と、
（３）設置場所で架台ツバを水平にした状態で左側壁に左側板部、右側壁に右側板部、奥壁に左背板部及び右背板部を夫々接するように、左側板部と右側板部間を拡幅すると共に架台全体を奥壁に向って移動する工程と、
（４）左背板部、右背板部を奥壁に固定する工程と、
（５）左側板部を左側壁に、右側板部を右側壁に夫々固定する工程と、
（６）伸縮吊戸棚本体を設置場所の開口部を通じて設置場所へ持ち込む工程と、
（７）伸縮吊戸棚本体を拡幅する工程と、
（８）伸縮吊戸棚本体を各架台ツバ上に乗せて架台の奥側へ押し込み、伸縮吊戸棚本体の左右の戸棚本体を夫々架台の左側板部と右側板部に固定する工程と、
（９）伸縮吊戸棚本体の幅に合せるように伸縮扉の幅を調節し伸縮扉の幅を不動となるように固定する工程と、
（１０）伸縮扉を伸縮吊戸棚本体に枢着する工程と、
を有することを特徴とする吊戸棚を設置する方法。
【発明の詳細な説明】
【技術分野】
【０００１】
本発明は便所、脱衣所、廊下等の行き止まりの対向壁及び奥壁に取り付ける吊戸棚及び吊戸棚を設置する方法に関する。
【背景技術】
【０００２】
従来、対向壁とその奥壁の袋状の空間に戸棚を設けることが行われている。その一つは新築時に建物と一体に設けるものがある。このような新築時に設ける吊戸棚を新築後に設けるとすると壁を破って吊戸棚を躯体に取り付け、壁を塗り直すことが行われる。
【０００３】
近時は両開き扉付のプレス成形されたキャビネットを吊戸棚とすることが行われている。
【０００４】
特許文献１には奥行を調整可能とした吊戸棚が開示されている。特許文献２には床置で幅を伸縮する収納庫が開示されている。
【０００５】
対向壁間に設ける棚としては突張り棚が周知されている。
【特許文献１】実公昭５３−１２４１２４号公報
【特許文献２】実開平１−１２６１２５号公報
【発明の開示】
【発明が解決しようとする課題】
【０００６】
近時プレス成形された前述のキャビネットを取り付ける場合について説明する。図１７は便所の床伏図である。開口部１０１は外開き扉１０２で開閉される。１０３は小壁であり、外開き扉１０２との間に図示されない錠前が取り付けてある。左側壁１０４、右側壁１０５、奥壁１０６の天井に近い位置に吊戸棚１０７が設けられる。
【０００７】
吊戸棚１０７は左側壁１０４、右側壁１０５、奥壁１０６に取付部材を介して固定される。これらの取付部材は現合して取り付ける。吊戸棚１０７は箱形の本体１０７ａの開口部１０７ｂ両側に両開き扉１０７ｃを取り付けたものである。
【０００８】
このような吊戸棚１０７は既製で大量生産される。そのため汎用性を高める方法として幅Ｗ１を小さくしている。なんとなれば左右側壁１０４，１０５間の壁間距離Ｗは建築の様式によって各種の寸法がとられる。関東間で大壁の場合壁間距離Ｗは７５０ミリメートルである。関東間で真壁の場合壁間距離Ｗは７５０ミリメートルより大である。関西間で大壁の場合は前記関東間の大壁、真壁の場合より壁間距離Ｗは大きい。また、関西間の真壁は壁間距離Ｗが最も大きい。また、側壁１０４，１０５の仕上りの寸法のばらつきにより壁間距離Ｗは変化する。
【０００９】
そこで、吊戸棚１０７は上記何れの場合をも考慮して幅を小さく作ってある。従って、側壁１０４，１０５と吊戸棚１０７の側板間には隙間Ｇが出来る。
【００１０】
また、便所の扉１０２の幅は近時は６１０ミリメートルである。開口部１０１を通じて便所中へ吊戸棚１０７を入れる場合は吊戸棚１０７を図位置より水平面内で９０度回転して開口部１０１を通過させ、便所内で９０度回転する。そのとき、吊戸棚１０７の対向する角間の対角線の長さＷ２は壁間距離Ｗより小さくなくてはならない。このような点からの吊戸棚１０７の壁間距離Ｗ１は制約がある。
【００１１】
従来の吊戸棚１０７は吊戸棚１０７と側壁１０４，１０５夫々の隙間Ｇを見せないようにするため現合の額縁1０８を側壁に取り付けている。
【００１２】
吊戸棚１０７は壁に取り付けるために現合の部材を用いているため工数を多大に要する。また、吊戸棚１０７の幅Ｗ１が対向壁間距離Ｗよりかなり小さくなるので吊戸棚１０７の内容積が小さくなる。
【００１３】
本発明は対向する側壁間にピッタリ嵌合できる収納容積を損わず、且つ取り付けが簡単で、部材数の少ない伸縮壁ピタ吊戸棚を提供することを目的とする。
【課題を解決するための手段】
【００１４】
本出願に係る第１の発明は対向する壁面間に施工する吊戸棚において、
対向する壁面の一方の左側壁面に接して該壁面に取り付けられ下縁に左側壁面から離れる方向に架台ツバを有す左側板部と、対向する壁面間の奥壁に接し又は接近して下縁に奥壁面から離れる方向の架台ツバを有する左背板部とを有する左架台と、
対向する壁面の他方の右側壁面に接して該壁面に取り付けられ下縁に右側壁面から離れる方向に架台ツバを有する右側板部と、対向する壁面間の奥壁に接し又は接近して下縁に右側壁面から離れる方向に架台ツバを有し左背板部に対して奥壁面に平行に水平方向に移動可能に係合する右背板部とを有する右架台と、
を有する伸縮架台と、
前面に開口を有し箱形で互に係合して左右方向に相対移動する左戸棚本体と右戸棚本体を備えて左右方向に幅を調節可能で伸縮架台の各架台の架台ツバに載置される伸縮吊戸棚本体と、
夫々の扉の幅が伸縮可能な両開き扉であって伸縮吊戸棚本体の開口の両側に枢着された伸縮扉と、
を有することを特徴とする伸縮壁ピタ吊戸棚である。
【００１５】
本出願に係る第２の発明は伸縮架台の左側板部と右側板部は夫々左側壁面と右側壁面に接する架台取付板部と、伸縮吊戸棚本体の左側板と右側板に夫々接する戸棚本体取付板部を有し、架台取付板部と戸棚本体取付板部とは板面が側壁面に直角な方向に離れていることを特徴とする第１の発明にに記載の伸縮壁ピタ吊戸棚である。
【００１６】
本出願に係る第３の発明は戸棚本体取付板部は架台取付板部の上下に位置し、架台取付板部の上部のみが側壁に固定されることを特徴とする第２の発明に記載の伸縮壁ピタ吊戸棚である。
【００１７】
本出願に係る第４の発明は架台は左側板部と右側板部は高さが伸縮吊戸棚本体の高さよりもやや高く、左背板部及び右背板部は高さが左側板部及び右側板部よりも低く、左右の背板部は互に重なって左側板部と右側板部間の対向間隔を調節可能に互に摺動する案内部を有することを特徴とする第１から第３の何れか１つの発明に記載の伸縮壁ピタ吊戸棚である。
【００１８】
本出願に係る第５の発明は左架台の左背板部と右架台の右背板部の重なる部分にはこれら左右の背板部を夫々貫通する左右方向に長い重なる長穴を有し、
長穴を挿通して奥壁にねじ部材をねじ込むことを特徴とする第１から第４の発明の何れか１つに記載の伸縮壁ピタ吊戸棚である。
【００１９】
本出願に係る第６の発明は前記ねじ部材は１つであって伸縮架台の左右方向のほぼ中央に位置することを特徴とする第５の発明に記載の伸縮壁ピタ吊戸棚である。  
【００２０】
本出願に係る第７の発明は左戸棚本体と右戸棚本体は夫々の天板、背板、底板に重なりを有し、左戸棚本体と右戸棚本体の何れかの一方の縁を他方の天板、背板、底板の内面側に配すると共に、左戸棚本体と右戸棚本体の両側板を平行にした状態で前記他方の天板、背板、底板の内側面に前記一方の縁と重ねられる多数の平行線を目視可能に設けられていることを特徴とする第１から第６の何れか１つの発明に記載の伸縮壁ピタ吊戸棚である。
【００２１】
本出願に係る第８の発明は伸縮扉の左扉及び右扉は、伸縮吊戸棚本体に枢着される夫々の扉本体と、夫々の扉本体の戸先側に扉幅を可変とするように移動可能に係合する夫々の可変扉部を有し、夫々の扉本体と可変扉部とを締結する固定手段を設けたこと
を特徴とする第１から第７の何れか１つの発明に記載の伸縮壁ピタ吊戸棚である。
【００２２】
本出願に係る第９の発明は扉本体と可変扉部との係合部の目視可能な竪方向の縁とこの縁を有する板面が重ねられる扉本体又は可変扉部の他方の面には前記縁と重ねられる多数の平行線が目視可能に設けられていることを特徴とする第８の発明に記載の伸縮壁ピタ吊戸棚である。
【００２３】
本出願に係る第１０の発明は第１の発明に記載の伸縮壁ピタ吊戸棚を構成する部材を用いて、対向する側壁と側壁及び奥壁に沿って吊戸棚を設置する方法であって、
（１）架台の左背板部と右背板部の係合部分を移動して左側板部と右側板部を近寄らせて架台の幅をせばめる工程と、
（２）設置場所に至る開口部を通じて設置場所へ幅をせばめた架台を持ち込む工程と、
（３）設置場所で架台ツバを水平にした状態で左側壁に左側板部、右側壁に右側板部、奥壁に左背板部及び右背板部を夫々接するように、左側板部と右側板部間を拡幅すると共に架台全体を奥壁に向って移動する工程と、
（４）左背板部、右背板部を奥壁に固定する工程と、
（５）左側板部を左側壁に、右側板部を右側壁に夫々固定する工程と、
（６）伸縮吊戸棚本体を設置場所の開口部を通じて設置場所へ持ち込む工程と、
（７）伸縮吊戸棚本体を拡幅する工程と、
（８）伸縮吊戸棚本体を各架台ツバ上に乗せて架台の奥側へ押し込み、伸縮吊戸棚本体の左右の戸棚本体を夫々架台の左側板部と右側板部に固定する工程と、
（９）伸縮吊戸棚本体の幅に合せるように伸縮扉の幅を調節し伸縮扉の幅を不動となるように固定する工程と、
（１０）伸縮扉を伸縮吊戸棚本体に枢着する工程と、
を有することを特徴とする吊戸棚を設置する方法である。
【発明の効果】
【００２４】
請求項１に係る発明によれば、伸縮架台が左右に伸縮できまた奥壁に突き当てられているので、伸縮架台は設置場所の両側壁、奥壁の３方の壁にピッタリと接する。伸縮吊戸棚本体は左右方向に幅を調節でき、伸縮吊戸棚本体を伸縮架台に押し込み伸縮架台に固定されるので、伸縮吊戸棚本体は設置場所の壁にピタリと接近する。従って、伸縮吊戸棚本体は容積を大きく取れ、収納空間が大きい。また、伸縮扉は伸縮吊戸棚本体の伸縮に合せて伸縮でき、伸縮吊戸棚本体の開口を丁度閉じるように幅を調節できる。
【００２５】
従って、伸縮壁ピタ吊戸棚を工場生産してコストを安価に供給でき、施工場所の左右対向壁間距離の差異にかかわらず容易に且つ速やかに施工できるので工賃が少なくてすむ。また、既設の建物そのままで施工できる。
【００２６】
請求項２に係る発明によれば、左右の側壁面に狂い曲りがあったとしても、左右の側壁面に接するのは架台取付板部であるので架台取付板部が左右の側壁面に一部倣って歪んだとしても、戸棚本体取付部へのこの歪みの影響は緩和されるので、伸縮吊戸棚本体の伸縮架台への取り付けに際し、取り付け難くなるという障害が生じない。
【００２７】
請求項３に係る発明によれば、側壁に架台取付板部の上部のみが固定されて伸縮架台は固定部からぶら下るが如く支持されるので、側壁の狂い、曲りの架台取付板部への影響は小さくなる。従って、側壁の狂い、曲りによる戸棚本体取付部への影響は一層小さくなる。
【００２８】
請求項４に係る発明によれば、左右の背板部は高さが左右の側板部より低く、左右の背板部は互に重なって左右に摺動する案内部を有するので、高さが大きくない背板部内に案内部があり、左右の背板部は互に円滑に摺動して左右の側板部の対向間隔を調節できる。
【００２９】
請求項５に係る発明によれば、作業者は長穴を挿通して奥壁にねじ部材をねじ込むだけであり伸縮架台の奥壁への取り付け作業が簡単である。
【００３０】
請求項６に係る発明によれば、伸縮架台は背板部のほぼ中央の一個所で奥壁に支持されるので、伸縮架台は支持部を中心に左右方向の水平状態を容易に調節できる。従って、左右の側板部の架台ツバ、背板部の架台ツバを容易に水平な一平面上にあるように調節できる。
【００３１】
請求項７に係る発明によれば、伸縮戸棚本体は目視して正確な直方体を保つように幅を調節できる。
【００３２】
請求項８に係る発明によれば、伸縮扉の幅を変更することができる。
【００３３】
請求項９に係る発明によれば、伸縮扉の幅を変更する際、目視により該幅の調節量を把握でき且つ伸縮扉の形状を容易に正四辺形に保つことができる。
【００３４】
請求項１０に係る発明によれば、各工程が簡単で容易であり、伸縮壁ピタ吊戸棚を容易に施工できる。
【実施例】
【００３５】
以下、本発明の実施例を図面を用いて説明する。
【００３６】
（施工個所）
図１は図１７の奥側の上部の斜視図である。左側壁１０４、奥壁１０６、右側壁１０５は天井１０９との間の隅に回り縁１１０が設けてある。
【００３７】
（架台）
図２は架台を正面より見る斜視図、図３は図２の平面図、図４は左架台の左側板部の縦断面図、図５は左側板部の水平断面図である。全体を符号１を示す架台は左架台２と右架台３を有する。
【００３８】
左架台２は対向する壁面の一方の左側壁１０４に接して該壁面に取り付けられ下縁に架台ツバ２ｂを有する平板状の左側板部２ａと、奥壁１０６に接して下縁に架台ツバ２ｄを有する左背板部２ｃを一体に有する。左架台２の左側壁１０４への取付状態において架台ツバ２ｂと２ｄの上面は同一水平面上にある。
【００３９】
従って左側板部２ａと左背板部２ｃ間は垂直方向の稜線を有して直角に折曲されている。左側板部２ａの高さは後述する吊戸棚本体の高さよりもわずかに大である。例えばこの高さの差は５ミリメートル位である。左背板部２ｃの高さは左側板部２ａより低い。本例では左側板部２ａの高さに対して左側背板部２ｃの高さは約２分の１としてある。
【００４０】
左側板部２ａは左側壁１０４に近い側に左側板部２ａを左側壁１０４に取り付ける架台取付板部２ａ１を有する。そして、架台取付板部２ａ１に対して左側壁１０４から離れる方向に離れて後述の伸縮吊戸棚本体を取り付ける戸棚本体取付板部２ａ２が設けてある。両取付板部２ａ１，２ａ２は平行している。架台取付板部２ａ１の上下に戸棚本体取付板部２ａ２が配されている。
【００４１】
両取付板部２ａ１，２ａ２はこれら取付板部２ａ１，２ａ２に直角なリブ２ａ３，２ａ４により一体となっている。リブ２ａ４の一部は左背板部２ｃと重なっている。
【００４２】
図７は左架台２と右架台３の重なり部分における左背板部２ｃ、右背板部３ｃ、伸縮吊戸棚本体（以下、戸棚本体とう）４の一部を含む縦断面図である。左背板部２ｃは上縁に背見切出２ｅを備えている。背見切出２ｅは断面が鍵形である。架台ツバ２ｄには架台ツバ２ｄから切り起して外れ止め板２ｆを設けてある。外れ止め板２ｆは板面が左背板部２ｃと平行している。
【００４３】
図２に示すように左側板部２ａには上部に左側壁１０４に左架台２を取り付けるために、架台取付板部２ａ１に６個の取付穴２ｇが設けてある。取付穴２ｇは架台取付板部２ａ１の上部にのみ設けてある。左側板部２ａには取付穴２ｇよりも上部及び下部の戸棚本体取付板部２ａ２に伸縮吊戸棚本体４を取り付けるためのめねじ２ｈが設けてある。
【００４４】
図６に示すように取付穴２ｇを挿通して取付ねじ７を左側壁１０４にねじ込むことにより左架台２は左側壁に１０４に固定される。
【００４５】
右架台３は対向する壁面の他方の右側壁１０５面に接して該壁面に取り付けられる下縁に架台ツバ３ｂを有する右側板部３ａと、対向する左側壁１０４、右側壁１０５間の奥壁１０６に接近して下縁に架台ツバ３ｄを有し、左背板部２ｃに対して奥壁１０６面に平行に水平方向に移動可能に係合する右背板部３ｃを有する。左側板部２ａと右側板部３ａはほぼ左右対称な形状をしている。右側板部３ａの説明は左側板部２ａの説明を援用する。架台ツバ３ｂ，３ｄの上面は同一水平面上にある。架台ツバ２ｄは上面が架台ツバ３ｄの下面に接している。
【００４６】
従って右側板部３ａと右背板部３ｃ間は垂直方向の稜線を有して直角に折曲されている。右側板部３ａの高さは左側板部２ａの高さと同じである。右背板部３ｃの高さは左背板部２ｃの高さと同じである。
【００４７】
図７に示すように右背板部３ｃには上縁に背見切出３ｅを備えている。背見切出３ｅはツバ状であり、背見切出２ｅに抱きかかえられている。右背板部３ｃの架台ツバ３ｄは左背板部２ｃの架台ツバ２ｄの上面に沿っている。右背板部３ｃの架台ツバ３ｄには図２に示すように左右方向に長いスリット３ｆが設けてある。このスリット３ｆには外れ止め板２ｆが滑合している。即ち、外れ止め板２ｆの板面がスリット３ｆの対向面に接している。左背板部２ｃと右背板部３ｃとは図２に示すように重なり幅Ｗ３で重なっている。
【００４８】
上述のようにしてあるため、左背板部２ｃと右背板部３ｃは重なりを拘束された状態で重なり幅Ｗ３を変化できる。従って左側板部２ａと右側板部３ａは互に平行を保って対向間隔を調整できる。
【００４９】
本例では左側板部２ａ、右側板部３ａの対向間隔を８００ミリメートルから５００ミリメートルに調整できる。
【００５０】
図２に示すように左背板部２ｃと右背板部３ｃの重なっている部分において、これら背板部２ｃ，３ｃを貫通する架台取付穴２ｉ，３ｉが設けてある（図６参照）。架台付穴２ｉ，３ｉは水平方向に長い長穴である。
【００５１】
右側板部３ａの架台取付板部３ａ１には上部のみに右側壁１０５に右架台３を取り付けるための６個の取付穴３ｇが設けてある。右側板部３ａの戸棚本体取付板部３ａ２には取付穴３ｇよりも上部及び下部に伸縮吊戸棚本体４を取り付けるためのめねじ３ｈが設けてある。
【００５２】
本例では左側板部２ａと右側板部３ａに設ける取付穴２ｇと３ｇ、めねじ２ｈと３ｈは奥壁１０６に向って正面より見て左右対称な位置に設けてある。                            
【００５３】
（伸縮吊戸棚本体）
図８は戸棚本体４の奥壁１０６に向って正面から見る斜視図、図９は図８のＡ部の図８の紙面に平行な拡大縦断面図、図１０は図８のＢ−Ｂ拡大断面図である。
【００５４】
戸棚本体４は全体としては手前側に開口４ａを有する中空直方体の箱形である。
【００５５】
戸棚本体４は左戸棚本体５と右戸棚本体６とに部材が分かれている。左戸棚本体５と右戸棚本体６は夫々の天板５ｅ，６ｅ、背板５ｄ，６ｄ、底板５ｂ，６ｂに重なりを有する。即ち、本例では天板５ｅ、背板５ｄ、底板５ｂ及び左側板５ｃは中空で２重壁となっている。縁５ｅ１は閉止されている。及び、天板６ｅ、背板６ｄ、底板６ｂ及び右側板６ｃは中空で２重壁となっている。左戸棚本体５の中空部は閉じられている。右戸棚本体６の右側板６ｃとは反対側の天板６ｅ、背板６ｄ、底板６ｂの端面は開口している。上記、２重壁は図示されない部材で固定され内外壁は一体的となっている。
【００５６】
左右の戸棚本体５，６の夫々は０．４ミリメートル程度の板金製である。  図９、図１０に示すように右戸棚本体６の天板６ｅ、背板６ｄ、底板６ｂの夫々の中空部に左戸棚本体５の天板５ｅ、背板５ｄ、底板５ｂが左右方向に進退自在に密に嵌合している。即ち、右戸棚本体６に左戸棚本体５が挿入されている。左戸棚本体５に右戸棚本体６を挿入してもよい。
【００５７】
本例では右戸棚本体６の内側の縁６ｂ１，６ｄ１，６ｅ１を左戸棚本体５の天板５ｅ、背板５ｄ、底板５ｄの内側面に配してある。左右の戸棚本体５，６は図９に示すように互に重なりＦを有する。この重なりＦの範囲では左右の戸棚本体５，６は重なっている。
【００５８】
図８に示す右戸棚本体６の底板６ｂの縁６ｂ１、背板６ｄの縁６ｄ１、天板６ｅの縁６ｅ１は側板６ｃと平行な平面上にある。左戸棚本体５の底板５ｂ、背板５ｄ、天板５ｅの内側面には左戸棚本体５の側板５ｃに平行な多数の平行線ＰＬが設けてある。平行線ＰＬは３ミリメートル間隔である。この平行線ＰＬと右戸棚本体６の縁６ｂ１，６ｄ１，６ｅ１を一致させることにより、左側板５ｃと右側板６ｃは平行となり、戸棚本体４は歪のない中空直方体となる。ただし、左右側板５ｃ，６ｃが平行な状態で縁６ｂ１，６ｄ１，６ｅ１と平行線ＰＬが平行であればよく、縁６ｂ１，６ｄ１，６ｅ１及び平行線ＰＬが左右側板５ｃ，６ｃに平行でなくてもよい。
【００５９】
この平行線ＰＬを設ける範囲は架台１を側壁１０４，１０５に取り付けた状態において縁６ｂ１，６ｄ１，６ｅ１に重なる必要があるので、側壁１０４，１０５の壁間距離Ｗが施工個所によって異なることに対応できるように設ける。
【００６０】
図７に示すように背見切出２ｅのフランジ２ｅ２と外れ止め板２ｆは図７の紙面に直角な垂直面上に位置している。戸棚本体４の背板５ｄ，６ｄは架台１に取付状態において、フランジ２ｅ２と外れ止め板２ｆにより背板５ｄが奥側への移動を止められることにより垂直に保たれる。
【００６１】
背板５ｄにはツメ付板５ｆの固定部５ｆ１が例えば点溶接で固定されている。ツメ付板５ｆはばね鋼板製である。ツメ付板５ｆは固定部５ｆ１から後方へ向って片持梁状に先端が下るように先端側のツメ５ｆ２が斜設され、根本側に取付状態においてフランジ２ｅ２の下縁よりも上方に来る断面半円状の突起５ｆ３が設けられている。ツメ付板５ｆの背板５ｄに平行な方向の幅は５０ミリメートルである。ツメ付板５ｆは取付状態における戸棚本体４の左右のほぼ中央に位置している。
【００６２】
（伸縮扉）
図１１から図１５は夫々伸縮扉を示し、図１１は正面下方より見る斜視図、図１２は正面図、図１３は平面図、図１４は背面図、図１５は側面図である。
【００６３】
全体を符号８で示す伸縮扉は両開き扉である。本例では左扉９と右扉１１を正面より見て左右対称に設けてある。夫々の扉９，１１は扉本体９ａ，１１ａが取り付け取り外し可能な自在丁番１２（図１３、図１６参照）でもって戸棚本体４の開口４ａを開閉するように戸棚本体４の側板５ｃ，６ｃに取り付けられている。
【００６４】
夫々の扉９，１１は吊手側が扉本体９ａ，１１ａであって召し合せる側が可変扉部９ｂ，１１ｂとなっている。図１２から図１３に示すように扉本体９ａ，１１ａの戸先の外側には矢印イで示すように可変扉部９ｂ，１１ｂが左右方向に移動自在に嵌合している。
【００６５】
図１３には可変扉部９ｂ，１１ｂの水平断面が示されている。可変扉部９ｂ，１１ｂは中空の偏平な箱状であり、扉本体９ａ，１１ａの戸先側の外側に水平方向に密に嵌め込まれている。扉本体９ａ，１１ａの戸先側を中空にして扉本体９ａ，１１ａの中に可変扉部９ｂ，１１ｂを出入可能とすることも可能である（図示されない）。
【００６６】
図１４に示すように可変扉部９ｂ，１１ｂの背板の上下部には左右方向に長い長穴９ｂ１，１１ｂ１が設けてある。この長穴９ｂ１，１１ｂ１を夫々挿通して扉本体９ａ，１１ａに取付ねじ１３をねじ込むことにより、扉本体９ａ，１１ａに可変扉部９ｂ，１１ｂを固定するようになっている。そのため、取付ねじ１３は長穴９ｂ１，１１ｂ１の幅の何れよりも大きなねじ頭を有する小ねじを用いる。又は該小ねじに平座金を併用する。
【００６７】
上記取付ねじ１３がねじ込まれるめねじは扉本体９ａ，１１ａの背面の８ヶ所に設けるのが好適である。本例では長穴９ｂ１，１１ｂ１の夫々の両端付近に該めねじ９ａ１，１１ａ１を設けて、取付ねじ１３をこれら長穴の一方端又は他方端の位置のめねじにねじ込むことにより可変扉部９ｂ，１１ｂの移動範囲を長穴９ｂ１，１１ｂ１の長さのほぼ２倍の調節範囲を得ることができる。逆にこの調節範囲を一定とすると長穴９ｂ１，１１ｂ１の長さを短くできる。
【００６８】
左右の扉本体９ａ，１１ａ、可変扉部９ｂ，１１ｂは正面より見て夫々の角が直角な四辺形をしている。  扉本体９ａ，１１ａの背面には垂直方向の扉建付用線ＰＬ１が設けてある。扉建付用線ＰＬ１は複数の垂直な平行線である。本例では扉建付用線ＰＬ１の間隔は３ミリメートルである。可変扉部９ｂの縁９ｂ３、可変扉部１１ｂの縁１１ｂ３は垂直方向である。
【００６９】
扉建付用線ＰＬ１と縁９ｂ３，１１ｂ３を一致させると左扉９、右扉１１は夫々正四辺形となる。
【００７０】
なお、扉建付用線ＰＬ１、縁９ｂ３，１１ｂ３を斜設して左扉９、右扉１１を正四辺形とすることもできる（図示されない）。
【００７１】
側面図の図１５に示すように伸縮扉８は戸棚本体４よりも、下方へ取手分Ｓとして下出ししてある。
【００７２】
図１６は自在丁番１２の一例を示す。図は一方の勝手のみを示し、図１６と対称な図略した勝手違いの自在丁番と一対となって両開き扉を支持する。全体を符号１２で示す自在丁番は、竪方向のピン１７で互に回動可能に固定取付部材１８と可変取付部材１９が結合されている。固定取付部材１８は伸縮吊戸棚本体４に取り付けられ、可変取付部材１９は伸縮扉８に取り付けられる
固定取付部材１８はフランジ１８ａを伸縮吊戸棚本体４の左右の側板５ｃ，６ｃの内側面に当接し、小ねじ用穴１８ｂを挿通して図示されない小ねじを左右の側板５ｃ，６ｃにねじ込む。フランジ１８ａと一体成形されたアーム部１８ｃがスライド２２の一端側とピン１７で枢着されている。
【００７３】
可変取付部材１９はベース部材２１とスライド２２が図示矢印ロの方向に位置を調節可能に係合している。スライド２２に矢印ロの方向と同方向に設けた長穴２２ａを挿通して小ねじ２３をベース部材２１にねじ込むことによって、ベース部材２１とスライド２２は不動に締結される。
【００７４】
スライド２２に回転自在に小ねじ２４が支持されている。図示されないがベース部材２１には小ねじ２４の挿通する矢印ロの方向に長い長穴が設けられており、小ねじ２４がスライド２２に固定されたナットにねじ込まれている。ベース部材２１は上下方向の長穴２１ａを有する。左扉９、右扉１１の吊手側裏面にベース部材２１を当接して長穴２１ａを挿通して図示されない小ねじを左扉９、右扉１１に夫々ねじ込み、左扉９、右扉１１にベース部材２１を固定する。
【００７５】
左扉９、右扉１１の伸縮吊戸棚本体４への取り付けはこれら扉を夫々９０度開いた位置に相当する位置で行うのが適当である。このとき、左戸棚本体５の側板５ｃの内側面と左扉９の背面は同一面となり、右戸棚本体６の側板６ｃの内側面と右扉１１の背面は同一面となる。
【００７６】
取付部材１８のフランジ１８ａを左戸棚本体５の側板５ｃと、右戸棚本体６の側板６ｃに当接し、小ねじ用穴１８ｂを挿通して側板５ｃ，６ｃに図示されないねじ部材をねじ込む。取り付け後に、小ねじ２３，２４をゆるめベース部材２１に対してスライド２２を図示矢印ロ方向に扉を閉じた状態における左扉９、右扉１１の納まり位置を調整した後は、小ねじ２３，２４をねじ込む。
【００７７】
上記において架台１の左架台２、右架台３は鉄板、アルミ板、ステンレス等の内の何れか1つを材料とする板金製である。左架台２、右架台３は同一厚さの板材を用いて主としてプレス加工により作られる。伸縮吊戸棚本体４の左戸棚本体５、右戸棚本体６は夫々架台１と同様な板金製であり、プレス加工により作られる。伸縮扉８の左扉９、右扉１１は左扉本体９ａ、左可変扉部９ｂ、右扉本体１１ａ、右可変扉部１１ｂは上述と同様な材料を用いた板金製である。
ここで、例えば、架台１は０．７ミリメートル、戸棚本体４は０．４ミリメートル伸縮扉８は０．４ミリメートルの夫々厚さを有する板金製である。
【００７８】
（取付作業工程）
用意する部材は架台１、戸棚本体４、伸縮扉８、自在丁番１２、その他ねじ類（以下の工程においてのべる）及びねじ類をねじ込むドライバ、デイスクグラインダである。
（１）  取付個所は例えば、便所とか脱衣所の奥の上部である（図１参照）。図２の状態から架台１の左右の側板部２ａ，３ａを近づけると、左右の背板部２ｃ，３ｃにおいて下部はスリット３ｆと外れ止め板２ｆが摺動する。上部は図７に示す背見切出２ｅと３ｅが摺動する。これによって、左右の側板部２ａ，３ａは平行して対向間隔が短くなり、最小のタタミ幅は本例では５００ミリメートルとなる。
【００７９】
この工程が左背板部２ｃと右背板部３ｃの係合部分（２ｆと３ｆ、２ｅと３ｅ）を移動して左側板部２ａと右側板部３ａを近寄らせて架台１の幅をせばめる工程である。
（２）  設置場所の扉１０２の幅は６１０ミリメートル（開口幅Ｑは５９０ミリメートル）であるので扉１０２を開いて上記状態で架台１を左背板部２ｃ、右背板部３ｃを奥壁１０６に平行して架台ツバ２ｂ，２ｄ，３ｂを水平にして設置個所に持ち込める。又は、背板部２ｃ，３ｃを左右の側壁１０４，１０５に平行にして開口部１０１を通じて設置個所に持ち込んで９０度水平面内で回動する。
【００８０】
即ち、前記工程の状態が設置場所（図１７の奥壁１０６側）に到る開口部１０１を通じて架台１を設置場所へ幅をせばめた架台１を持ち込む工程である。
（３）  設置場所で架台ツバ２ｂ，２ｄ，３ｂ，３ｄを水平な状態にして左側壁１０４に左側板部２ａ、右側壁１０５に右側板部３ａ、奥壁１０６に左背板部２ｃを夫々接するように、左側板部２ａと右側板部３ａ間を拡幅すると共に架台１全体を奥壁１０６に向って移動する。このとき右背板部３ｃは奥壁１０６とは左側板部２ｃの板厚分だけ、奥壁１０６に間をあけて接近している。ただし、左側壁１０４、右側壁１０５、奥壁１０６の施工時の精度は架台１の板厚よりも公差が大きいので右側板部３ｃは奥壁１０６に当ることは通常である。
【００８１】
このとき左右の背板部２ｃ，３ｃにおいて下部はスリット３ｆと外れ止め板２ｆが摺動する。上部は背見切出２ｅと３ｅが摺動する。これによって左右の側板部２ａ，３ａは拡幅時に平行が保たれる。このとき架台１の上下方向の位置は左右の側板２ａ，３ａの上縁が天井回り縁１１０に当る位置である。
【００８２】
左側壁１０４、右側壁１０５、奥壁１０６は塗壁、板壁等であり、曲りその他幾何学的に狂いがある。例えば左側壁１０４、右側壁１０５の平行度がよくない。奥壁１０６と左右壁１０４，１０５の何れか又は両者に対して直角度がよくないということが有り得る。しかし、左右の背板部２ｃ，３ｃは高さを低くしてあること、及び次工程で示すように左右の背板部２ｃ，３ｃは一個所で奥壁１０６に固定するため、架台１の各部は奥壁１０６の平面度の影響を受け難い。
【００８３】
図２に示すように取付穴２ｇ，３ｇは架台取付板部２ａ１，３ａ１の最上位に集められている。従って、取付穴２ｇ，３ｇの位置によって、左側壁１０４，右側壁１０５が垂直面に対して倒れ、曲りがあっても、左側板部２ａ、右側板部３ａに歪みを与えることが少なく、架台１を左右の側壁１０４，１０５に取り付け可能となっている。
【００８４】
左側板部２ａを左側壁１０４に接し、右側板部３ａを右側壁１０５に接し、及び左右の背板部２ｃ，３ｃを奥壁１０６に接して納まりを見る際に、左側板部２ａ、右側板部３ａの夫々の上縁を回り縁１１０の下面に当てると良い。ただし、回り縁１１０は水平面内にあるとは限らないから、左右の側板部２ａ，３ａの何れかのみが回り縁１１０の下面に当る状態で正しい納まりとする。
（４）  左右の背板部２ｃ，３ｃ間をほぼ２等分する位置において左右の背板部２ｃ，３ｃの重なり部分に設けた架台取付穴２ｉ，３ｉを挿通して、図６、図７に示すように平座金１４を付設したねじ部材１６を奥壁１０６にねじ込む。これによって左背板部２ｃ、右背板部３ｃは互に固定されると共に奥壁１０６に固定される。これによって左側板部２ａ、右側板部３ａの対向間隔は保持される。
【００８５】
架台は背板部のほぼ中央の一個所で奥壁に支持されるので、架台は支持部のねじ部材を中心にして左右の方向に揺動させて水平状態を容易に調節できる。従って、架台ツバを左右方向に関し容易に水平な一平面上に調節できる。
（５）  左側板部２ａを左側壁１０４に、右側板部３ａを右側壁１０５に夫々固定する。この固定は図６に示すように、取付ねじ７を取付穴２ｇ，３ｇを挿通して左右の側壁１０４，１０５にねじ込むことによる。
（６）  戸棚本体４は設置場所の扉１０２を開いて開口部１０１を通じ設置場所へ持込む。
【００８６】
この場合、左右戸棚本体５，６の側板５ｃ，６ｃの対向間隔をせばめるようにした状態で戸棚本体４を開口部１０１を通過させて設置場所へ近づける。
（７）  戸棚本体４を拡幅する。このとき、左側板５ｃと右側板６ｃを遠ざけるようにして、左側板５ｃ、右側板６ｃの外矩間の距離を図２に示す左右の戸棚本体取付板部２ａ２，３ａ２の対向間隔に近づける。このとき図９、図１０、図１２に示す左戸棚本体５の背板５ｄに設けた平行線ＰＬの１つの線と、右戸棚本体６の縁６ｂ１，６ｄ１，６ｅ１を一致又は平行させることにより、戸棚本体４が歪のない直方体となっていることを知ることができる。従って平行線ＰＬがない場合に必要な計測具を用いた各種の計測を行って立体的な戸棚本体４が直方体となったかどうかを調べなくてもよいので歪のない直方体の形状を保って速やかに戸棚本体４の幅を架台１の幅に合わせることができる。
（８）  戸棚本体４を左右の架台ツバ２ｂ，３ｂに乗せて架台１の奥側へ押し込み、戸棚本体４の左右の戸棚本体５，６を夫々架台１の左側板部２ａと右側板部３ａに固定する。
【００８７】
戸棚本体４を架台１の奥側へ押し込むと左右の架台ツバ２ｂ，３ｂ上を戸棚本体４の底板５ｂ，６ｂが滑るので戸棚本体４を容易に架台１の奥に持込める。このとき架台ツバ２ｂ，３ｂ、戸棚本体取付板部２ａ２，３ａ２は戸棚本体４を案内して取付個所の奥側へ平行移動する。在来工法であると戸棚本体を支持した状態で戸棚本体を壁面に位置決めし且つ取り付けねばならないので、仮設の支持部材を設けるか２人掛で作業しなければならなかったのが１人で容易に且つ正確に位置決めできることになる。
【００８８】
戸棚本体４を架台１の奥へ押し込むと、戸棚本体４の背板５ｄに設けたツメ付板５ｆのツメ５ｆ２が背見切出２ｅのフランジ２ｅ２の下縁により押下げられ、突起５ｆ３がフランジ２ｅ２の下縁を乗り越える。突起５ｆ３がフランジ２ｅ２の下縁を乗り越えると押し下げられたツメ付板５ｆは弾力で上昇し、突起５ｆ３がフランジ２ｅ２の裏側に入ってフランジ２ｅ２と係合する。そして、左戸棚本体５の左背板部５ｄは背見切出２ｅのフランジ２ｅ２及び、外れ止め板２ｆに当接して、左戸棚本体５の背板５ｄ及び右戸棚本体６の背板６ｄは夫々垂直方向を保っている。このとき、戸棚本体４の右戸棚本体６の底板６ｂは右架台３の右背板部３ｃの下縁の架台ツバ３ｄ上にのる。この状態で戸棚本体４はツメ付板５ｆの突起５ｆ３とフランジ２ｅ２の係合により、架台１に安定して支持される。ここで戸棚本体４を架台１から引き出すときは突起５ｆ３とフランジ２ｅ２の係合している力に抗して引き出すことになる。次に、戸棚本体４の左右の戸棚本体５，６を夫々架台の左側板部２ａ、右側板部３ａに固定する。
【００８９】
上記のように戸棚本体４を架台１の奥まで押し込んだ状態で、左戸棚本体５の側板５ｃには架台の左側板部２ａの戸棚本体取付部２ａ２に設けためねじ２ｈに一致する位置に小ねじ用穴５ｈが設けてある。右戸棚本体６の側板６ｃには上記同様に小ねじ用穴６ｈが設けてある。これらの小ねじ用穴５ｈ，６ｈに図示されない小ねじを挿通してめねじ２ｈ，３ｈに夫々ねじ込む。
【００９０】
既にのべたようにして、架台１の左右の戸棚本体取付板部２ａ２，３ａ２は平行となるように調整して取り付けてあるので左戸棚本体５の左側板５ｃと右戸棚本体６の右側板６ｃは夫々戸棚本体取付板部２ａ２，３ａ２に密接し、左側板５ｃと右側板６ｃは平行となる。左側板５ｃと右側板６ｃが平行となっているかどうかは右戸棚本体６の縁６ｂ１，６ｄ１，６ｅ１が平行線ＰＬに平行しているかどうかが目視で確かめられる。この作業によって架台１と戸棚本体４は一体的となり、剛性を生じる。
（９）  戸棚本体４の幅に合うように伸縮扉８の幅を調節し伸縮扉８の幅を不動となるように固定する。この工程は後述の（１０）伸縮扉８を戸棚本体４に枢着してから行ってもよい。
【００９１】
図１４を参照して伸縮扉８の幅の調整は、左扉９の左可変扉部９ｂの長穴９ｂ１を挿通して左扉９の左扉本体９ａの背板に設けためねじ９ａ１にねじ込んである取付ねじ１３を弛めるか取り外す。そして、左可変扉部９ｂを左右方向に平行移動する。このとき、平行移動しているかどうかは、扉建付用線ＰＬ１と左可変扉部９ｂの縁９ｂ３の平行を目視して知ることができる。これによって、左扉９は戸先（召合せ部）と吊元を平行に調整できる。該戸先と吊元の平行が確定され且つ左扉９が所定の幅となったら、取付ねじ１３を長穴９ｂ１を挿通してめねじ９ａ１にねじ込む。左可変扉部９ｂを大きく調整した際に、長穴９ｂ１にめねじ９ａ２のみが見える場合は、取付ねじ１３を長穴９ｂ１を挿通してめねじ９ａ２にねじ込む。  
【００９２】
右扉１１の側も左扉９と同様に扉幅を調整する。
（１０）  上記扉幅の調整後、又は調整前に左扉９、右扉１１の吊元を自在丁番１２を用いて戸棚本体４の側板５ｃ，６ｃの開口４ａ側の縁の内部側に枢着する。
【００９３】
伸縮扉８を戸棚本体４に取り付けた後に、左扉９、右扉１１の幅の調節を行う場合も、上述した伸縮扉８の左扉９、右扉１１の幅を調節した後に、伸縮扉８を戸棚本体４に取り付ける場合と同様に幅を調節する。
【図面の簡単な説明】
【００９４】
【図１】伸縮壁ピタ吊戸棚の施工個所を正面下方より見る斜視図である。。
【図２】架台を正面より見る斜視図である。
【図３】図２の平面図である。
【図４】架台の左側板部の縦断面図である
【図５】架台の左側板部の中間部の水平断面図である。
【図６】架台の水平断面図である。
【図７】架台の背板部の縦断面図である。
【図８】伸縮吊戸棚本体の正面より見る斜視図である。
【図９】図８のＡ部の紙面に平行な縦断面図である。
【図１０】伸縮吊戸棚本体の側断面図を示し、図８のＢ−Ｂ断面図である。
【図１１】伸縮壁ピタ吊戸棚を正面下方より見る斜視図である。
【図１２】伸縮扉の正面図である。
【図１３】伸縮吊戸棚本体及び伸縮扉の一部断面で示す略平面図である。
【図１４】伸縮扉の背面図である。
【図１５】伸縮壁ピタ吊戸棚の側面図である。
【図１６】自在丁番の斜視図である。
【図１７】従来例の水平断面図である。
【符号の説明】
【００９５】
１…架台
２…左架台  ２ａ…左側板部  ２ａ１…架台取付板部  ２ａ２…戸棚本体取付板部  ２ａ３，２ａ４…リブ  ２ｂ…架台ツバ  ２ｃ…左背板部  ２ｄ…架台ツバ  ２ｅ…背見切出    ２ｅ２…フランジ  ２ｆ…外れ止め板  ２ｇ…取付穴  ２ｈ…めねじ  ２ｉ…架台取付穴
３…右架台  ３ａ…左側板部  ３ａ１…架台取付板部  ３ａ２…戸棚本体取付板部  ３ｂ…架台ツバ  ３ｃ…右背板部  ３ｄ…架台ツバ  ３ｅ…背見切出  ３ｆ…スリット  ３ｇ…取付穴  ３ｈ…めねじ  ３ｉ…架台取付穴
４…戸棚本体  ４ａ…開口
５…左戸棚本体  ５ｂ…底板  ５ｃ…左側板  ５ｄ…背板  ５ｅ…天板  ５ｅ１…縁  ５ｆ…ツメ付板  ５ｆ１…固定部  ５ｆ２…ツメ  ５ｆ３…突起  ５ｈ…小ねじ用穴
６…右戸棚本体  ６ｂ…底板  ６ｂ１…縁  ６ｃ…側板  ６ｄ…背板  ６ｄ１…縁  ６ｅ…天板  ６ｅ１…縁  ６ｈ…小ねじ用穴
７…取付ねじ  
８…伸縮扉
９…左扉  ９ａ…扉本体    ９ａ１…めねじ  ９ｂ…可変扉部  ９ｂ１，９ｂ２…長穴  ９ｂ３…縁
１１…右扉  １１ａ…扉本体  １１ｂ…可変扉部  １１ｂ１，１１ｂ２…長穴    
１２…自在丁番
１３…取付ねじ
１４…平座金
１５…ピン
１６…ねじ部材
１７…ピン
１８…固定取付部材  １８ａ…フランジ  １８ｂ…小ねじ用穴  １８ｃ…アーム
１９…可変取付部材
２１…ベース部材  ２１ａ…長穴
２２…スライド  ２２ａ…長穴
２３…小ねじ
２４…小ねじ
１０１…開口部
１０２…外開き扉
１０３…小壁
１０４…左側壁
１０５…右側壁
１０６…奥壁
１０７…吊戸棚  １０７ａ…本体  １０７ｂ…開口部  １０７ｃ…両開き扉
１０８…額縁
１０９…天井
１１０…回り縁
Ｆ…重なり
Ｇ…隙間
ＰＬ…平行線  ＰＬ１…扉建付用線
Ｓ…取手分
Ｗ…壁間距離  Ｗ１…幅  Ｗ２…対角線の長さ  Ｗ３…幅
【図１】
2009195587.tif 000003
【図２】
2009195587.tif 000004
【図３】
2009195587.tif 000005
【図４】
2009195587.tif 000006
【図５】
2009195587.tif 000007
【図６】
2009195587.tif 000008
【図７】
2009195587.tif 000009
【図８】
2009195587.tif 000010
【図９】
2009195587.tif 000011
【図１０】
2009195587.tif 000012
【図１１】
2009195587.tif 000013
【図１２】
2009195587.tif 000014
【図１３】
2009195587.tif 000015
【図１４】
2009195587.tif 000016
【図１５】
2009195587.tif 000017
【図１６】
2009195587.tif 000018
【図１７】
2009195587.tif 000019